(57)【要約】【課題】  本発明の目的は、ユーザーの意図を反映した効果的なキャッチライトの画像を取得することのできる撮像装置を提供することである。【解決手段】  本発明の撮像装置（１〜１４）は、検出手段（４）と、合成手段（８）と、表示手段（１１、１２）とを備える。検出手段は、キャッチライト撮影モードにおいて連続的に取得されるスルー画像から被写体の瞳領域を検出する。合成手段は、検出手段により検出された被写体の瞳領域に疑似キャッチライトを合成する。表示手段は、合成手段により疑似キャッチライトが合成されたスルー画像を略リアルタイムに表示する。【選択図】  図１
2010081201.tif 000002
【特許請求の範囲】
【請求項１】
キャッチライト撮影モードにおいて連続的に取得されるスルー画像から被写体の瞳領域を検出する検出手段と、
前記検出手段により検出された被写体の瞳領域に疑似キャッチライトを合成する合成手段と、
前記合成手段により前記疑似キャッチライトが合成された前記スルー画像を略リアルタイムに表示する表示手段と
を備えることを特徴とする撮像装置。
【請求項２】
請求項１に記載の撮像装置において、
画像を記録する記録手段を有し、
前記キャッチライト撮影モードで動作中に本撮影が指示された場合、
前記合成手段は、前記本撮影により取得された本撮影画像中の前記検出手段により検出された被写体の瞳領域に前記疑似キャッチライトを合成し、
前記記録手段は、前記疑似キャッチライトが合成される前の前記本撮影画像と、前記疑似キャッチライトが合成された後の前記本撮影画像とを共に記録する
ことを特徴とする撮像装置。
【請求項３】
請求項２に記載の撮像装置において
前記合成手段は、前記本撮影画像を撮影するときの撮影条件のストロボ発光が有りの場合には、前記本撮影画像に対する前記疑似キャッチライトの合成を行わない
ことを特徴とする撮像装置。
【請求項４】
請求項１又は請求項２に記載の撮像装置において、
前記合成手段は、被写体の瞳領域にキャッチライトが入っている前記スルー画像及び／又は前記本撮影画像に対しては前記疑似キャッチライトの合成を行わない
ことを特徴とする撮像装置。
【請求項５】
請求項１〜請求項４の何れか一項に記載の撮像装置において、
ユーザーの指示に応じて、前記疑似キャッチライトの形状、色、大きさのうちの少なくとも１つを変更する変更手段を更に備える
ことを特徴とする撮像装置。
【発明の詳細な説明】
【技術分野】
【０００１】
本発明は、撮像装置について、特に、被写体の瞳にキャッチライトを映し込むことが可能な撮像装置に関する。
【背景技術】
【０００２】
ポートレート撮影などにおいて、被写体を生き生きとした感じに撮影するために、被写体の瞳に輝きとなる光（キャッチライト）を映し込む撮影手法が知られている。また、効果的なキャッチライトの画像を撮影するために、被写体の瞳に星型などの形状のキャッチライトを映し込む手法も知られている。
【０００３】
例えば、特許文献１には、ストロボなどの光源を発光させて被写体の瞳にキャッチライトを映し込む手法、また、光源に星型などの形状の開口部を有するマスクを装着することで、被写体の瞳にマスクに応じた形状のキャッチライトを映し込む手法が開示されている。
【特許文献１】特開２００７−１８３５１２号公報
【発明の開示】
【発明が解決しようとする課題】
【０００４】
ところで、効果的なキャッチライトの画像を撮影するには、被写体の瞳へのキャッチライトの入り具合、即ち、キャッチライトの効果を画像の撮影前に確認できることが望ましい。特に、動物を撮影する場合などには、効果的なキャッチライトの画像を撮影するためのシャッターチャンスが極めて少なくなるので、なおさらそれが望まれる。
【０００５】
しかし、従来技術では、ユーザーは、撮影後でなければ画像のキャッチライトの効果を確認することができなかった。
【０００６】
また、従来のストロボなどの光源を発光する手法では、発光により赤目となってしまう場合があったり、さらに動物を撮影するときには、その光に動物が驚いて逃げてしまうこともあり、画像を撮影すること自体できないことがあった。
【０００７】
すなわち、従来技術では、ユーザーの意図を反映した効果的なキャッチライトの画像を取得することは難しかった。
【０００８】
本発明は、上記従来技術の課題を解決するためのものである。本発明の目的は、ユーザーの意図を反映した効果的なキャッチライトの画像を取得することのできる撮像装置を提供することである。
【課題を解決するための手段】
【０００９】
第１の発明の撮像装置は、検出手段と、合成手段と、表示手段とを備える。検出手段は、キャッチライト撮影モードにおいて連続的に取得されるスルー画像から被写体の瞳領域を検出する。合成手段は、検出手段により検出された被写体の瞳領域に疑似キャッチライトを合成する。表示手段は、合成手段により疑似キャッチライトが合成されたスルー画像を略リアルタイムに表示する。
【００１０】
第２の発明は、第１の発明において、画像を記録する記録手段を有し、キャッチライト撮影モードで動作中に本撮影が指示された場合、合成手段が、本撮影により取得された本撮影画像中の検出手段により検出された被写体の瞳領域に疑似キャッチライトを合成し、そして記録手段が、疑似キャッチライトが合成される前の本撮影画像と、疑似キャッチライトが合成された後の本撮影画像とを共に記録する。
【００１１】
第３の発明は、第２の発明において、合成手段は、本撮影画像を撮影するときの撮影条件のストロボ発光が有りの場合には、本撮影画像に対する疑似キャッチライトの合成を行わない。
【００１２】
第４の発明は、第１の発明又は第２の発明において、合成手段は、被写体の瞳領域にキャッチライトが入っているスルー画像及び／又は本撮影画像に対しては疑似キャッチライトの合成を行わない。
【００１３】
第５の発明は、第１〜第４の発明の何れか一の発明において、ユーザーの指示に応じて、疑似キャッチライトの形状、色、大きさのうちの少なくとも１つを変更する変更手段を更に備える。
【発明の効果】
【００１４】
本発明では、キャッチライト撮影モードにおいて連続的に取得されるスルー画像から被写体の瞳領域を検出して、その瞳領域に疑似キャッチライトを合成する。そして、疑似キャッチライトが合成されたスルー画像を略リアルタイムに表示する。
【００１５】
このため、ユーザーは、略リアルタイムに表示されるスルー画像によって、撮影前に、被写体の瞳へのキャッチライトの入り具合を確認することができるので、最も効果的なキャッチライトが瞳に映し込まれたときに画像を撮影することができるようになる。
【００１６】
従って、本発明を利用すれば、ユーザーの意図を反映した効果的なキャッチライトの画像を取得することが可能になる。
【発明を実施するための最良の形態】
【００１７】
（第１実施形態）
以下、本発明の第１実施形態を説明する。本実施形態は、デジタルカメラの実施形態である。
【００１８】
図１は、第１実施形態のデジタルカメラのブロック図である。
【００１９】
図１において、デジタルカメラは、撮像素子１と、撮影レンズ２と、レンズ駆動回路３と、制御回路４と、操作部材５と、撮像素子駆動回路６と、信号処理回路７と、データ処理回路８と、圧縮／伸張回路９と、表示部１１と、表示制御回路１２と、測光回路１３と、ストロボ１４とを有し、さらに記録媒体１０が設けられている。
【００２０】
記録媒体１０は、メモリカード、小型ハードディスク、ＤＶＤ等の光ディスクなどで構成される。なお、記録媒体１０は、デジタルカメラに内蔵されるものであっても、着脱可能に装着されるものであってもよいし、デジタルカメラの外部に設けられるものであってもよい。外部に設けられる場合、記録媒体１０とデジタルカメラとは、有線または無線で電気的に接続される。
【００２１】
撮影レンズ２は、撮影光学系を構成する複数枚のレンズ群で構成され、撮像素子１の撮像面上に被写体像を結像させる。
【００２２】
撮影レンズ２は、不図示のフォーカスレンズを含み、レンズ駆動回路３がフォーカスレンズを光軸方向に進退駆動することにより、撮影レンズ２のフォーカス調節が行われる。また、撮影レンズ２は、不図示のズームレンズを含み、レンズ駆動回路３がズームレンズを光軸方向に進退駆動することにより、撮影レンズ２のズーム調節が行われる。
【００２３】
なお、簡単のため、図１では撮影レンズ２を１枚のレンズとして図示している。
【００２４】
レンズ駆動回路３は、制御回路４から出力されるレンズ駆動指令に応じてレンズ駆動信号を発生し、このレンズ駆動信号により不図示のレンズ駆動機構を駆動することで、撮影レンズ２の各レンズを移動させる。
【００２５】
撮像素子１は、連写画像の撮影が可能な撮像素子であり、例えば、ＣＣＤ型撮像素子、あるいはＣＭＯＳ型撮像素子などによって構成される。なお、撮像素子１は、勿論、１フレーム毎の静止画像の撮影も可能である。
【００２６】
撮像素子駆動回路６は、制御回路４から出力される指令に応じて所定タイミングの駆動信号を発生し、この駆動信号を撮像素子１へ供給する。撮像素子１は、供給された駆動信号によって、電荷の蓄積（撮像）や蓄積した電荷の読み出しが制御される。
【００２７】
ストロボ１４は、制御回路４からの指令に基づき、デジタルカメラ筐体に設けられたエレクトロニックフラッシュ等を駆動して、被写体を照明するためのストロボ光を被写界に向けて発光する。
【００２８】
制御回路４は、測光回路１３による被写体の測光データを用いて被写界の明るさの情報を求め、この明るさの情報に基づき、撮像素子１の電荷蓄積時間（電子シャッター速度）、撮影レンズ２の絞り、撮像素子１から出力される画像信号の増幅率、ストロボ１４の発光の有無などの撮影条件を決定する。
【００２９】
なお、被写界の明るさの情報は、撮像素子１から出力される画像信号に基づき、制御回路４が求める構成としてもよい。但し、そうした場合には、撮像素子１が測光回路１３の機能を司る。
【００３０】
信号処理回路７は、制御回路４からの指令に応じて、撮像素子１から出力される画像信号に対し、ＣＤＳ（相関二重サンプリング）、増幅（ゲイン調整）、Ａ／Ｄ変換、ホワイトバランスなどの信号処理を施す。そして、信号処理回路７は、その信号処理後のデータを画像データとしてデータ処理回路８へ出力する。
【００３１】
また、信号処理回路７は、制御回路４からの指令に基づきゲイン調整の調整量（増幅率）を設定し、それによってＩＳＯ感度に相当する撮影感度の調整を行う。
【００３２】
データ処理回路８は、制御回路４からの指令に応じて、信号処理回路７から出力される画像データに対し、輪郭強調、カラー調整、ガンマ補正、解像度変換（画素数変換）、疑似キャッチライト合成などの画像処理を施す。なお、解像度変換（画素数変換）は、表示部１１に画像データを表示させる場合などに必要な処理である。また、疑似キャッチライト合成については後述する。
【００３３】
また、データ処理回路８は、制御回路４からの指令に応じて、画像処理後の画像データを表示部１１に表示させるために表示制御回路１２へ出力する。
【００３４】
また、データ処理回路８は、制御回路４からの指令に応じて、画像処理後の画像データを圧縮／伸張回路９へ出力する。
【００３５】
表示制御回路１２は、制御回路４からの指令に応じて、データ処理回路８から出力される画像データに所定の信号処理を施して表示部１１へ出力する。なお、表示部１１は、デジタルカメラに設けられた電子ビューファインダ（ＥＶＦ）や、デジタルカメラ背面に設けられたＬＣＤモニタなどである。
【００３６】
また、表示制御回路１２は、制御回路４からの指令に応じて、撮影メニューやカーソルなどのオーバレイ画像のデータを前記画像データに重畳する処理を行う。これにより、オーバレイ画像が重畳された画像データが表示部１１に表示される。
【００３７】
圧縮／伸張回路９は、制御回路４からの指令に応じて、データ処理回路８から出力される画像データに、例えばＪＰＥＧ（Joint Photographic Experts Group）形式等の所定の形式で圧縮処理を施し、その圧縮後の画像データを記録媒体１０へ記録する。但し、操作部材５の操作により非圧縮記録が指示された場合には、圧縮／伸張回路９は、画像データを、圧縮処理を施すことなく記録媒体１０へ記録する。
【００３８】
圧縮／伸張回路９は、可逆圧縮（いわゆるロスレス符号化）を行うことも可能な構成となっている。
【００３９】
操作部材５は、レリーズ釦やモード設定釦等の各種の操作部材を含み、それら部材の操作内容に応じた操作信号を制御回路４へ送る。例えば、レリーズ釦が全押しされると、操作部材５は、撮影を指示する操作信号を制御回路４へ送る。制御回路４は、この操作信号を受けると、撮像素子１から出力される画像信号のうち、撮影画面内にあらかじめ設定されているフォーカス検出領域に対応する信号を用いて、公知のコントラスト方式のＡＦ（オートフォーカス）動作を行う。
【００４０】
具体的には、制御回路４は、信号処理回路７により信号処理が施された画像データのうち、フォーカス検出領域に対応するデータについての高周波数成分の積算値（いわゆる焦点評価値）を最大とするように、レンズ駆動指令（フォーカス調節信号）をレンズ駆動回路３へ与える。ここで、焦点評価値が最大となるフォーカスレンズの位置は、撮像素子１により撮影される被写体像のエッジのぼけをなくし、画像のコントラストを最大とした（尖鋭度を高めた）合焦位置である。
【００４１】
なお、コントラスト方式のＡＦ動作に加えて、公知の瞳分割方式による位相差ＡＦ動作を行うように構成してもよい。もちろん、位相差ＡＦ動作のみを行う構成としてもよい。
【００４２】
ここで、撮影モード設定時および撮影時のデジタルカメラの動作を簡単に説明する。
【００４３】
モード設定釦等の操作によりデジタルカメラが撮影モードに設定されると、制御回路４は、レンズ駆動回路３、撮像素子駆動回路６、信号処理回路７およびデータ処理回路８を駆動してスルー画像の撮影を開始する。
【００４４】
このとき、撮像素子１はドラフトモード（間引き読み出しモード）で駆動され、スルー画像の画像データが信号処理回路７およびデータ処理回路８を介して、順次、表示制御回路１２へ出力される。
【００４５】
制御回路４は、表示制御回路１２を駆動して、スルー画像を表示部１１に表示する（ライブビュー表示）。また、制御回路４は、信号処理回路７を介して出力されるスルー画像の画像データを基に、レンズ駆動回路３と協働してＡＦ動作を行う。さらに、制御回路４は、測光回路１３による被写体の測光データから決定した画像信号の増幅率などの撮影条件に基づき、信号処理回路７のゲイン調整等の露出制御などを行う。
【００４６】
撮影モードで動作中にレリーズ釦が全押しされると、制御回路４は、測光回路１３による被写体の測光データを用いて求めた被写界の明るさの情報に基づき撮影条件（電子シャッター速度、絞り値、ストロボ発光の有無など）を決定する。そして制御回路４は、決定した撮影条件の下でレンズ駆動回路３、撮像素子駆動回路６、信号処理回路７およびデータ処理回路８（撮影条件によっては更にストロボ１４も）を駆動して本撮影を行う。
【００４７】
このとき、撮像素子１はフレームモード（全画素読み出しモード）で駆動され、撮影された本撮影画像の画像データが信号処理回路７およびデータ処理回路８を介して表示制御回路１２と圧縮／伸張回路９へ出力される。
【００４８】
制御回路４は、表示制御回路１２を駆動して、本撮影画像を表示部１１に表示する。
【００４９】
また、制御回路４は、圧縮／伸張回路９を駆動して、本撮影画像の画像データに圧縮処理を施すと共に、その処理後の画像データを記録媒体１０へ記録する。
【００５０】
以下、デジタルカメラの撮影の動作を、図２の流れ図を参照して説明する。図２は、デジタルカメラが、撮影モードの一種であるキャッチライト撮影モードに設定されたときに繰り返し実行されるフローである。なお、キャッチライト撮影モードとは、画像（スルー画像及び本撮影画像）中の被写体の瞳に画像処理によってキャッチライトの映し込みを行う撮影モードである。
【００５１】
ステップ１０１（Ｓ１０１）：制御回路４は、レンズ駆動回路３、撮像素子駆動回路６、信号処理回路７を駆動してスルー画像の撮影を開始する。このとき、撮像素子１はドラフトモード（間引き読み出しモード）で駆動される。
【００５２】
ステップ１０２：制御回路４は、信号処理回路７を介して出力された１フレーム分のスルー画像を取得する。
【００５３】
ステップ１０３：制御回路４は、取得したスルー画像から顔領域を検出する。なお、顔領域の検出は、例えば、特開２００１−３０９２２５号公報で開示されるパターンマッチング手法などの従来技術を用いて行える。
【００５４】
ステップ１０４：制御回路４は、スルー画像中の顔領域から瞳領域を検出する。なお、瞳領域の検出は、例えば、特開２００８−１０９３９５号公報などで開示される従来の瞳検出手法を用いて行える。
【００５５】
ステップ１０５：制御回路４は、データ処理回路８を駆動して、検出した瞳領域に疑似キャッチライトを合成する。ここで、瞳領域に疑似キャッチライトを合成したイメージを図３に示す。図３では、スルー画像３ａに写った猫の瞳の両方に疑似キャッチライト３ｃが合成されている。
【００５６】
このように、本実施形態のデジタルカメラのキャッチライト撮影モードでは、取得したスルー画像中の被写体の瞳に画像処理によってキャッチライトの映し込みを行う。
【００５７】
また、制御回路４は、データ処理回路８を駆動して、スルー画像に対し、カラー調整やガンマ補正、解像度変換（画素数変換）などの必要な画像処理を施す。
【００５８】
ステップ１０６：制御回路４は、表示制御回路１２を駆動して、疑似キャッチライト入りのスルー画像を表示部１１へ表示する。
【００５９】
ステップ１０７：制御回路４は、操作部材５から撮影を指示する操作信号が送られたか、即ち、レリーズ釦が全押しされたか否かを判定する。
【００６０】
制御回路４は、レリーズ釦が全押しされた場合（Ｙｅｓ側）にはステップ１０８へ移行し、一方、全押しされていない場合（Ｎｏ側）にはステップ１０２へ移行して上記の処理を繰り返す。
【００６１】
ステップ１０８：制御回路４は、撮像素子駆動回路６の駆動を停止して、スルー画像の撮影を終了する。
【００６２】
ステップ１０９：制御回路４は、測光回路１３による被写体の測光データを用いて求めた被写界の明るさの情報に基づき本撮影の撮影条件（電子シャッター速度、絞り値、ストロボ発光の有無など）を決定する。
【００６３】
ステップ１１０：制御回路４は、決定した撮影条件の下でレンズ駆動回路３、撮像素子駆動回路６、信号処理回路７（撮影条件によっては更にストロボ１４も）を駆動して本撮影を実施する。このとき、撮像素子１はフレームモード（全画素読み出しモード）で駆動される。
【００６４】
そして、制御回路４は、信号処理回路７を介して出力された本撮影画像を取得する。
【００６５】
ステップ１１１：制御回路４は、取得した本撮影画像から顔領域を検出する。
【００６６】
ステップ１１２：制御回路４は、本撮影画像中の顔領域から瞳領域を検出する。
【００６７】
ステップ１１３：制御回路４は、データ処理回路８を駆動して、検出した瞳領域に疑似キャッチライトを合成する。
【００６８】
このように、本実施形態のデジタルカメラのキャッチライト撮影モードでは、取得した本撮影画像中の被写体の瞳に画像処理によってキャッチライトの映し込みを行う。
【００６９】
また、制御回路４は、データ処理回路８を駆動して、本撮影画像に対し、カラー調整やガンマ補正、解像度変換（画素数変換）などの必要な画像処理を施す。
【００７０】
ステップ１１４：制御回路４は、表示制御回路１２を駆動して、疑似キャッチライト入りの本撮影画像を表示部１１へ表示する。
【００７１】
ステップ１１５：制御回路４は、圧縮／伸張回路９を駆動して、瞳領域に疑似キャッチライトを合成する前の本撮影画像（オリジナル）と、瞳領域に疑似キャッチライトを合成した後の本撮影画像（キャッチライト入り）とに対して圧縮処理を施し、その処理後のオリジナルの本撮影画像とキャッチライト入り本撮影画像とを共に記録媒体１０へ記録する。
【００７２】
ステップ１１６：制御回路４は、キャッチライト撮影モードの終了が指示されたか否かを判定する。なお、その終了の指示は、デジタルカメラがキャッチライト撮影モード以外のモードに設定されることなどによって行われる。
【００７３】
制御回路４は、キャッチライト撮影モードの終了が指示された場合（Ｙｅｓ側）には本フローの処理を終了する。一方、制御回路４は、終了が指示されていない場合（Ｎｏ側）にはステップ１０１へ移行して上記の処理を繰り返す。
【００７４】
（第１実施形態の補足事項）
なお、ステップ１０６においては、疑似キャッチライト入りのスルー画像、即ち、疑似キャッチライトを瞳領域に合成した後のスルー画像のみを表示部１１へ表示するようにした。しかし、例えば図４に示すように、疑似キャッチライトを瞳領域に合成する前のスルー画像３ｂを、疑似キャッチライト入りのスルー画像と一緒に表示するようにしてもよい。そうすれば、疑似キャッチライトの効果をユーザーがリアルタイムに確認できるようになる。また、ステップ１１４で疑似キャッチライト入りの本撮影画像を表示部１１へ表示するときにも、同様に、疑似キャッチライトを瞳領域に合成する前の本撮影画像を一緒に表示するようにしてもよい。
【００７５】
また、図３においては、疑似キャッチライトの形状が縦長の楕円形である場合の例を示したが、疑似キャッチライトの形状はこれに限定されない。例えば、瞳領域との合成に使用する疑似キャッチライトの形状をユーザーが指示によって変更できるようにしてもよい。その場合、形状の異なる複数の疑似キャッチライトを予め用意しておき、その中から合成に使用するものをユーザーに指示させるようにする。そして、指示が行われた場合に、疑似キャッチライトをユーザーから指示された形状のものに変更する。また、形状だけでなく、疑似キャッチライトの色や大きさについても、同様に、ユーザーが指示によって変更できるようにするとよい。なお、疑似キャッチライトの変更においては、形状、色、大きさの何れか１つ、あるいはそれらのうちの２つ以上を同時に変更できるようにするとよい。このように疑似キャッチライトの形状、色、大きさが変更できれば、より効果の高いキャッチライトの画像を取得することができるようになる。
【００７６】
また、上記では、画像（スルー画像及び本撮影画像）中に１つの被写体が写っている場合の例を説明したが、画像中に複数の被写体が写っている場合には、各被写体の顔領域から瞳領域を検出し、検出した全ての瞳領域に疑似キャッチライトを合成するとよい。
【００７７】
また、デジタルカメラがキャッチライト撮影モードに設定された場合には、キャッチライト撮影モードで動作していることをユーザーが分かるように、表示部１１へその旨を情報表示するとよい。
【００７８】
（第１実施形態の作用効果）
以下、第１実施形態の作用効果を説明する。
【００７９】
第１実施形態のデジタルカメラでは、カメラがキャッチライト撮影モードに設定されると、スルー画像が連続的に取得され、取得された各スルー画像から被写体の瞳領域が検出される。そして、検出された瞳領域に疑似キャッチライトが合成されて、その合成後のスルー画像が表示部へ順次表示される。また、その状態でユーザーがレリーズ釦を全押しすると、本撮影が行われ、本撮影により取得された本撮影画像から被写体の瞳領域が検出される。そして、検出された瞳領域に疑似キャッチライトが合成されて、その合成後の本撮影画像が表示部へ表示される。
【００８０】
このため、ユーザーは、表示部に略リアルタイムに表示されるスルー画像によって、本撮影前に、被写体の瞳へのキャッチライトの入り具合、即ち、キャッチライトの効果を確認することができる。そして、ユーザーは、キャッチライトの効果を確認しながら本撮影を行うことができるので、最も効果的なキャッチライトが瞳に映し込まれたときに画像を撮影することができる。
【００８１】
また、第１実施形態のデジタルカメラでは、画像処理によって画像中の被写体の瞳領域に疑似キャッチライトが合成される。
【００８２】
このため、従来のストロボなどの光源を発光する手法を用いた場合のように赤目現象を生じさせることがない。さらに、動物を撮影するときにも、従来の光源を発光する手法を用いた場合のように動物を驚かせることがないので、動物の生き生きとした画像を撮影することができる。
【００８３】
従って、第１実施形態のデジタルカメラによれば、ユーザーの意図を反映した効果的なキャッチライトの画像を取得することができる。
【００８４】
なお、動物を撮影する場合、動物の瞳に太陽光によるキャッチライトが入るのを長時間待ち続けることがよくある。しかし、第１実施形態のデジタルカメラでは、画像処理によって被写体の瞳領域に疑似キャッチライトが合成されるので、動物の瞳にキャッチライトが入るのを待つ必要がない。
【００８５】
また、第１実施形態のデジタルカメラでは、疑似キャッチライトの合成後の本撮影画像、即ち、疑似キャッチライト入りの本撮影画像が、疑似キャッチライトが合成される前のオリジナルの本撮影画像と共に記録媒体へ記録される。
【００８６】
従って、第１実施形態のデジタルカメラによれば、ユーザーは、疑似キャッチライト入りの本撮影画像だけでなく、オリジナルの本撮影画像も取得することができる。
【００８７】
（第１実施形態の１番目の変形例）
以下、第１実施形態の１番目の変形例（変形例１）を説明する。
【００８８】
変形例１は、第１実施形態で実行される図２のフローの変形例である。この変形例１では、デジタルカメラがキャッチライト撮影モードに設定されたときに、図５のフローが繰り返し実行される。なお、図５のステップ２０１〜２０９、２１１〜２１６及び２２０の処理は、それぞれ図２のステップ１０１〜１０９、１１０〜１１５及び１１６の処理と同一である。従って、以下では、第１実施形態との相違点である図５のステップ２１０、２１７〜２１９の処理のみ説明する。
【００８９】
ステップ２１０：制御回路４は、決定した撮影条件（電子シャッター速度、絞り値、ストロボ発光の有無など）を基に本撮影においてストロボ発光を行うか否かを判定する。
【００９０】
制御回路４は、本撮影においてストロボ発光を行う場合（Ｙｅｓ側）にはステップ２１１へ移行し、一方、本撮影においてストロボ発光を行わない場合（Ｎｏ側）にはステップ２１７へ移行する。
【００９１】
ステップ２１７：制御回路４は、決定した撮影条件の下でレンズ駆動回路３、撮像素子駆動回路６、信号処理回路７及びストロボ１４を駆動して、ストロボ光を発光させて本撮影を実施する。このとき、撮像素子１はフレームモード（全画素読み出しモード）で駆動される。
【００９２】
そして、制御回路４は、信号処理回路７を介して出力された本撮影画像を取得する。
【００９３】
ステップ２１８：制御回路４は、データ処理回路８を駆動して、本撮影画像に対して画像処理を施す。なお、変形例１のデジタルカメラのキャッチライト撮影モードでは、本撮影においてストロボ発光を行う場合には、本撮影画像に対する疑似キャッチライトの合成は行われない。
【００９４】
そして、制御回路４は、表示制御回路１２を駆動して、本撮影画像を表示部１１へ表示する。
【００９５】
ステップ２１９：制御回路４は、圧縮／伸張回路９を駆動して、本撮影画像に対して圧縮処理を施すと共に、その処理後の本撮影画像を記録媒体１０へ記録する。
【００９６】
そして、制御回路４は、ステップ２２０へ移行する。
【００９７】
（変形例１の作用効果）
以下、変形例１の作用効果を説明する。
【００９８】
変形例１のデジタルカメラでは、本撮影の撮影条件を基に本撮影においてストロボ発光を行うか否かが判定され、ストロボ発光を行う場合には、本撮影画像に対する疑似キャッチライトの合成が行われない。
【００９９】
従って、変形例１のデジタルカメラによれば、ユーザーは、表示部のスルー画像表示によってキャッチライトの効果を確認しながら本撮影を行うことができると共に、ストロボ光による効果的なキャッチライトの入った本撮影画像を取得することができる。
【０１００】
（第１実施形態の２番目の変形例）
以下、第１実施形態の２番目の変形例（変形例２）を説明する。
【０１０１】
変形例２も、第１実施形態で実行される図２のフローの変形例である。この変形例２では、デジタルカメラがキャッチライト撮影モードに設定されたときに、図６のフローが繰り返し実行される。なお、図６のステップ３０１〜３０４、３０６、３０７、３０９〜３１４、３１６〜３１８及び３２１の処理は、それぞれ図２のステップ１０１〜１０４、１０５、１０６、１０７〜１１２、１１３〜１１５及び１１６の処理と同一である。従って、以下では、第１実施形態との相違点である図６のステップ３０５、３０８、３１５、３１９、３２０の処理のみ説明する。
【０１０２】
ステップ３０５：制御回路４は、スルー画像中の顔領域から検出した瞳領域に、既に、太陽光などによるキャッチライトが映り込んでいるか否かを判定する。なお、その判定は、例えば、瞳領域に含まれる画素の輝度分布を調べて、所定の値以上の輝度レベルを有する画素が所定の範囲以上連続分布する領域を検出できるか否かを判定することなどによって行うとよい。
【０１０３】
制御回路４は、キャッチライトが映り込んでいる場合（Ｙｅｓ側）にはステップ３０８へ移行し、一方、映り込んでいない場合（Ｎｏ側）にはステップ３０６へ移行する。
【０１０４】
ステップ３０８：制御回路４は、データ処理回路８を駆動して、スルー画像に対して画像処理を施す。なお、変形例２のデジタルカメラのキャッチライト撮影モードでは、瞳領域に、既に、太陽光などによるキャッチライトが映り込んでいる場合には、スルー画像に対する疑似キャッチライトの合成は行われない。
【０１０５】
そして、制御回路４は、表示制御回路１２を駆動して、スルー画像を表示部１１へ表示した後にステップ３０９へ移行する。
【０１０６】
ステップ３１５：制御回路４は、本撮影画像中の顔領域から検出した瞳領域に、既に、太陽光などによるキャッチライトが映り込んでいるか否かを判定する。
【０１０７】
制御回路４は、キャッチライトが映り込んでいる場合（Ｙｅｓ側）にはステップ３１９へ移行し、一方、映り込んでいない場合（Ｎｏ側）にはステップ３１６へ移行する。
【０１０８】
ステップ３１９：制御回路４は、データ処理回路８を駆動して、本撮影画像に対して画像処理を施す。なお、変形例２のデジタルカメラのキャッチライト撮影モードでは、瞳領域に、既に、太陽光などによるキャッチライトが映り込んでいる場合には、本撮影画像に対する疑似キャッチライトの合成は行われない。
【０１０９】
そして、制御回路４は、表示制御回路１２を駆動して、本撮影画像を表示部１１へ表示する。
【０１１０】
ステップ３２０：制御回路４は、圧縮／伸張回路９を駆動して、本撮影画像に対して圧縮処理を施すと共に、その処理後の本撮影画像を記録媒体１０へ記録する。
【０１１１】
そして、制御回路４は、ステップ３２１へ移行する。
【０１１２】
（変形例２の作用効果）
以下、変形例２の作用効果を説明する。
【０１１３】
変形例２のデジタルカメラでは、取得されたスルー画像（又は本撮影画像）中の被写体の瞳領域に、既に、太陽光などによるキャッチライトが映り込んでいる場合には、スルー画像（又は本撮影画像）に対する疑似キャッチライトの合成が行われない。
【０１１４】
従って、変形例２のデジタルカメラによれば、ユーザーは、表示部のスルー画像表示によってキャッチライトの効果を確認しながら本撮影を行うことができると共に、太陽光などによる効果的なキャッチライトの入った本撮影画像を取得することができる。
【図面の簡単な説明】
【０１１５】
【図１】第１実施形態のデジタルカメラのブロック図である。
【図２】第１実施形態のキャッチライト撮影モードの動作を示す流れ図である。
【図３】被写体の瞳領域に疑似キャッチライトを合成したイメージを示す図である。
【図４】疑似キャッチライト合成前のスルー画像を疑似キャッチライト入りのスルー画像と一緒に表示した場合の図である。
【図５】変形例１のキャッチライト撮影モードの動作を示す流れ図である。
【図６】変形例２のキャッチライト撮影モードの動作を示す流れ図である。
【符号の説明】
【０１１６】
１…撮像素子，２…撮影レンズ，３…レンズ駆動回路，４…制御回路，５…操作部材，６…撮像素子駆動回路，７…信号処理回路，８…データ処理回路，９…圧縮／伸張回路，１０…記録媒体，１１…表示部，１２…表示制御回路，１３…測光回路，１４…ストロボ
【図１】
2010081201.tif 000003
【図２】
2010081201.tif 000004
【図３】
2010081201.tif 000005
【図４】
2010081201.tif 000006
【図５】
2010081201.tif 000007
【図６】
2010081201.tif 000008